(57)【要約】【課題】書見台及び本等の載置部を備え、本や新聞等を人の手で支えなくとも滑り落ちない又は滑り落ちにくい簡易な構造の炬燵用天板を提供する。【解決手段】炬燵用天板１は、周縁部を有し上方が開口した有底の空間部１０２を備えた天板本体１００と、該空間部内底に設けた係止体１１０と、該空間部に収容可能な書見台部２００と、書見台部背面側に設けたストッパー体２２０と、書見台部上面側に設けた載置体２５０を備える。書見台部２００は、書見台取付軸２０２により天板本体１００へ取り付けられ、該書見台取付軸を中心として天板本体上面側へ回動して立ち上げることができる。係止体１１０とストッパー体２２０は、互いに係合して回動する書見台部２００を当該立ち上げた角度に停止できる。載置体２５０は書見台載置面２０１に対して垂直上方乃至斜め上方に立ち上げることができ、載置した本等の滑落を防止する。【選択図】図２
0003133212.tif 000002
【実用新案登録請求の範囲】
【請求項１】
書見台の機能を兼ね備えた炬燵用の天板(1)であって、
上面側に書見台(200)の収容部(102)を有する天板本体(100)と、
不使用時には該天板本体(100)の収容部(102)に収容され、使用時には一端部を中心に回動して上記収容部(102)から起立可能に天板本体(100)に取り付けてある、引き起こし部(210)を有する書見台(200)と、
起立した書見台(200)の回動を段階的または無段階的に停止する停止手段(220)と、
書見台の不使用時には天板本体(100)または書見台(200)に形成された収容部(251)に収容されており、書見台の使用時には、一端部を中心に回動して上記収容部(251)から起立可能に天板本体(100)または書見台(200)に取り付けてある書籍などの載置部(250)と、
を有し、
上記書見台(200)および載置部(250)は、不使用時に収容部(102,251)に収容したときに、それらの上面が天板の上面と平面状態に成るようにした、
炬燵用の天板。
【請求項２】
書見台(200)および載置部(250)の収容部(102,251)が水密的である、
請求項１記載の炬燵用の天板。
【考案の詳細な説明】
【技術分野】
【０００１】
本考案は、炬燵用の天板に関する。更に詳しくは、炬燵用の天板に書見台を有するものにおいて、書見台に載置した本等が滑り落ちないようにしたものに関する。
【背景技術】
【０００２】
従来、炬燵に入った状態で読書をしやすいようにしたものとしては、例えば、実開昭６０−１５５８１２号においてスライドコタツデスクの考案が提案されており、該考案では二重構造の炬燵天板をスライドさせることにより立ち上がる構造の書見台が設けてある。
【特許文献１】実開昭６０−１５５８１２号
【考案の開示】
【考案が解決しようとする課題】
【０００３】
しかし、上記考案は、書見台を立ち上げた状態において、該書見台は炬燵天板に対して斜め上方に立ち上がるのみであって、本や新聞を載置することはできても、載置した本や新聞等を人の手で支えない場合は滑り落ちる又は滑り落ちやすいという課題があった。
【０００４】
（考案の目的）
そこで、本考案の目的は、簡易な構造であって、炬燵用の天板に書見台及び本等の載置部を備え、載置した本や新聞等を人の手で支えなくとも滑り落ちない又は滑り落ちにくい書見台を備える天板を提供することにある。
【課題を解決するための手段】
【０００５】
上記目的を達成するために講じた本考案の手段は次のとおりである。
本考案は、
書見台の機能を兼ね備えた炬燵用の天板であって、
上面側に書見台の収容部を有する天板本体と、
不使用時には該天板本体の収容部に収容され、使用時には一端部を中心に回動して上記収容部から起立可能に天板本体に取り付けてある、引き起こし部を有する書見台と、
起立した書見台の回動を段階的または無段階的に停止する停止手段と、
書見台の不使用時には天板本体または書見台に形成された収容部に収容されており、書見台の使用時には、一端部を中心に回動して上記収容部から起立可能に天板本体または書見台に取り付けてある書籍などの載置部と、
を有し、
上記書見台および載置部は、不使用時に収容部に収容したときに、それらの上面が天板の上面と平面状態に成るようにした、
炬燵用の天板である。
【０００６】
なお、前述の炬燵用の天板は、書見台および載置部の収容部が水密的であってもよい。
【０００７】
本明細書及び実用新案登録請求の範囲において、書見台の「停止手段」としては、例えば、書見台背面に板状のストッパーを、天板本体の有底凹部内底に当該ストッパーを係止する凹凸部を備えた係止体をそれぞれ設け、該ストッパーが係止体と嵌合して、書見台を一定角度に保持できる構造物が挙げられるが、これに限定するものではなく、ほかにも、入れ子構造や折り曲げ構造等の伸縮自在に形成された金具、ラチェット式のリクライニング金具、または、ガスダンパー等の公知手段またはこれらを組み合わせた指示器具であってもよい。
【０００８】
本明細書及び実用新案登録請求の範囲において、「平面状態」の語は、完全に平坦又は面一な状態のみならず、わずかな凹凸の存在は許容する意味で使用している。例えば、炬燵用の天板上面において書見台及び載置部周縁を面取りしたことにより形成される筋彫り状の溝等が生じていても、炬燵用の天板上面がほぼ平坦な状態であれば「平面状態」と表現する。
【０００９】
本明細書及び実用新案登録請求の範囲において、「書見台および載置部の収容部が水密的である」とは、例えば、当該収容部の形状を周囲に縁部を有する有底凹部としたものであってもよいし、その他の水密状態を保持できる公知形状、公知構造等であってもよい。
【００１０】
（作  用）
本考案に係る炬燵用の天板の作用を説明する。
[使用前]
炬燵用の天板においては、天板本体へ書見台及び載置部が畳んで収容されており、当該状態では、書見台及び載置部と天板の上面は平面状態になっている。
【００１１】
[使用時]
畳んで収容した状態の書見台及び載置部を天板本体から引き起こす。このとき、書見台は、引き起こし部により引き起こす。そして、書見台及び載置部を天板本体に対して上方乃至斜め上方に立ち上げ、書見台を停止手段によって利用に適した角度に固定する。
書見台を天板本体に対して垂直上方乃至斜め上方に立ち上げ、該載置部を書見台載置面に対して垂直上方乃至斜め上方に立ち上げた状態において、該各部により側面視が直角乃至鋭角となる載置物品を受ける部分が構成され、該受け部分によって、載置した本や新聞等の物品が滑り落ちない又は滑り落ちにくい。
【００１２】
[使用後]
使用後、書見台の停止手段を解除し、書見台及び載置部を天板本体へ畳んで収容する。当該状態において、書見台及び載置部と天板上面は平面状態に戻り、これによって、通常の炬燵用の天板として使用できる。
また、前述の炬燵用の天板の書見台および載置部の収容部が水密的なものは、天板上に飲み物等の液体をこぼし、天板本体と書見台等の継ぎ目に液体が入り込んでも、液体を上記凹部で受けることができる。
【考案の効果】
【００１３】
本考案によれば、次の効果を奏する。
（１）書見台及び本等の載置部を備えた炬燵用の天板であって、載置した本や新聞等を人の手で支えなくとも滑り落ちない又は滑り落ちにくいものを提供することができる。また、該天板は書見台を備えているので、新聞や本を読むときに視線と直角方向に合わせることもできるので、新聞や本が読みやすい。
更に、上記書見台および載置部は、不使用時に収容部に収容したときに、それらの上面が天板の上面と平面状態に成るので使用に当たって違和感がない。
（２）また、前述の炬燵用の天板に係る天板本体に設けられた凹部が周囲に縁部を備えるよう形成された有底凹部であるものは、天板上に飲み物等の液体をこぼし、天板本体と書見台等の継ぎ目に液体が入り込んでも、液体を上記凹部で受けることができるので、液体で炬燵布団等を汚さずに済む又は汚しにくい。
（３）本考案に係る炬燵用の天板は、簡易な構造であるため、生産性が良く、製造コストの削減が期待できる。
【考案を実施するための最良の形態】
【００１４】
本考案の実施の形態を図面に基づき更に詳細に説明する。
図１は本考案に係る炬燵用天板の書見台部を収容した状態の斜視図、
図２は本考案に係る炬燵用天板の書見台部を立ち上げた状態の斜視説明図、
図３は本考案に係る炬燵用天板の書見台部を立ち上げた状態の背面視説明図、
図４は本考案に係る炬燵用天板の書見台部を収容ないし立ち上げた状態を示す側方断面視説明図である。
【００１５】
炬燵用天板１は、天板本体１００と、書見台部２００と、載置部である載置体２５０を備えている。なお、炬燵用天板１は、天板本体１００に書見台部２００及び載置体２５０を収容した状態においては、天板本体１００、書見台部２００及び載置体２５０によって構成される炬燵用天板１上面において、平面状態になるよう構成されている（図１及び図４参照）。
以下、炬燵用天板１を構成する各部について詳述する。
【００１６】
天板本体１００は、所要の厚みを有する板体であって、その表側略中央には収容部としての空間部１０２が設けられている。なお、本実施の形態においては、該空間部１０２は有底凹部であって、書見台部２００を納めることができるよう形成されている。
上記空間部１０２の内底には係止体１１０が設けられている。なお、本実施の形態では、係止体１１０は上方に対して凹凸を備える格子状に形成されたものを採用している（図２乃至図４参照）。
上記空間部１０２内の側部の所用箇所には、軸受け部１２０が相対する位置に一対設けられている。なお、本実施の形態では、軸受け部１２０は側面視略門形に形成された長孔である。該軸受け部１２０は、後述の書見台部２００側面に突出して設けられた書見台取付軸２０２を嵌着可能に設けられている（図３及び図４参照）。
天板本体１００と書見台部２００は、上記書見台取付軸２０２と上記軸受け部１２０において取着されており、書見台部２００が回動可能に設けられている。また、書見台部２００は、書見台取付軸２０２が軸受け部１２０に沿って移動可能に設けられている（図４参照）。
【００１７】
書見台部２００は、内部に空間を有する略箱状体であって、伏せた状態において裏側になる部分が開口した形状に形成されている。該書見台部２００の上面は平面状態に形成されており、当該面は書見台載置面２０１を構成する。また、該書見台部２００は、書見台載置面２０１側につまみ２１０と載置体２５０を備え、書見台部２００裏側にストッパー体２２０を備えている。
書見台部２００の側面端部の相対する位置には、前述の書見台取付軸２０２が設けられており、該書見台取付軸２０２は、書見台部２００の反対且つ水平方向に突出して形成されている。
【００１８】
書見台載置面２０１の上面であって書見台取付軸２０２と反対側の縁部には、つまみ２１０が書見台部２００に取着されており、つまみ２１０が回動可能に設けられている。
なお、つまみ２１０が設けられた書見台載置面２０１縁部近傍には、所要の深さの空間であるつまみ押し込み部２１２が形成されており、つまみ２１０の一端側を内方に押し込み可能に構成されている。
【００１９】
図３を参照する。
上記書見台部２００内の空間には、棒状のストッパー取付軸２２２が幅方向に渡って掛け渡されており、該ストッパー取付軸２２２には板状のストッパー体２２０が回動可能に取り付けられている。該ストッパー体２２０は、大ストッパー２２４と、小ストッパー２２６から構成されている。
【００２０】
大ストッパー２２４は横長長方形の板状体についてストッパー取付軸２２２側の縁部略中央が切り欠かれた凹状体であり、小ストッパー２２６は該大ストッパー２２４の切欠部分とほぼ同じ大きさに形成された横長長方形の板状体である。
小ストッパー２２６は大ストッパー２２４の切欠部に配置されており、図３における該大ストッパー２２４上縁部と該小ストッパー２２６上縁部が同一線上に位置するよう形成されている。
【００２１】
ストッパー取付軸２２２は、該大ストッパー２２４上縁部と該小ストッパー２２６上縁部を貫通して書見台部２００に取り付けられている。当該構造によって、大ストッパー２２４と小ストッパー２２６は、それぞれが独立して回動可能に構成されている。また、大ストッパー２２４及び小ストッパー２２６は、ストッパー取付軸２２２に沿って横方向へスライドできるように構成されている。
【００２２】
大ストッパー２２４のストッパー取付軸２２２と反対側に位置する長縁部には、小切欠部２２５ａ，２２５ｂが所要間隔を開けて２箇所に形成されている。
小切欠部２２５ａ，２２５ｂの長手方向の切欠幅は、図２に示す係止体１１０の縦方向の格子よりやや幅広に形成してある。また、小切欠部２２５ａ，２２５ｂの短手方向の切欠幅は、図２に示す係止体１１０の横方向の格子間に形成された凹部に係止した際に、凹部の底に係止するか又は凸部に当接して嵌合し、凹部内に引っ掛かった状態を保持できるよう形成してある。
【００２３】
略板状に形成された載置体２５０は、書見台載置面２０１の書見台取付軸２０２が設けられた側の縁部近傍に設けられている。上記載置体２５０は、書見台載置面２０１表側に形成された載置体収容部２５１に軸着され回動可能に収容されている。
載置体２５０が設けられた書見台載置面２０１には、所要の深さの空間である載置体押し込み部２５２が形成されており、載置体２５０の一端側を内方に押し込んで載置体押し込み部２５２の内壁面に当接させることによって載置体２５０が書見台部２００に対して垂直に立ち上げ可能に構成されている。
載置体２５０の枢軸と反対側の縁部には滑り止め２５４が設けられている（図１乃至図４を参照）。
【００２４】
なお、本実施の形態においては、炬燵用天板１を構成する各部分（例えば、天板本体１００、書見台部２００、ストッパー体２２０、載置体２５０）は主として木材により形成されているが、これに限定するものではなく、例えば、プラスチック等の合成樹脂、ステンレススチールやアルミニウム等の金属、大理石等の石材、竹材、その他の公知素材またはこれらを組み合わせて形成したものであってもよい。
【００２５】
また、本実施の形態においては、書見台部２００を支えるストッパー体２２０は、書見台部２００背面に設けられたストッパー体２２０が、天板本体１００の空間部１０２内底に設けられた係止体１１０へ嵌合して、書見台部２００を一定角度に保持できる構造に形成されているが、これに限定するものではなく、例えば、ストッパー体として、入れ子構造や折り曲げ構造等の伸縮自在に形成された金具、ラチェット式のリクライニング金具、または、ガスダンパー等の公知手段またはこれらを組み合わせたものであってもよい。
【００２６】
本実施の形態においては、載置体２５０は書見台部２００に設けられているが、載置体２５０の設置位置は当該箇所に限定するものではなく、例えば、天板本体上面に有底凹部を別途形成し、当該有底凹部に独立した載置体を枢設し、該部分を収容した状態において天板上面と載置体上面が平面状態になるよう形成し、書見台部と載置部を天板本体に対して上方乃至斜め上方に立ち上げて固定できるよう設け、当該状態において該各部の側面視が直角乃至鋭角となる載置物品受け部が構成され、書見台に物品を載置できるよう構成したもの等であってもよい。
【００２７】
本実施の形態においては、載置体２５０は手動で立ち上げる構造としているが、これに限定するものではなく、例えば、内蔵したギアやベルト等によって書見台部２００の立ち上げ角度に連動して載置体２５０が適当な角度に立ち上がるよう構成したものであってもよい。
【００２８】
本実施の形態においては、軸受け部１２０は側面視略門形に形成されているが、当該形状に限定するものではなく、例えば、軸受け部が横方向に長い長孔であってもよい。なお、該軸受け部は、側面視略山形（例えば「ヘ」の字形）や上弦の半円弧形（例えば、逆「Ｕ」の字状）等、長孔状であって両端に比して中央近傍が上方に膨らんだ形状であることがより好ましい。
【００２９】
（作  用）
図１乃至図４を参照して、炬燵用天板１の作用を説明する。
[使用前]
炬燵用天板１においては、天板本体１００へ書見台部２００及び載置体２５０が畳んで収容されており、当該状態では、書見台部２００及び載置体２５０と天板本体１００上面は平面状態になっている。
【００３０】
[使用時]
以下の手順にて、収容した状態の書見台部２００を天板本体１００から引き出して、天板本体１００に対して上方乃至斜め上方に立ち上げて固定する。
（１）まず、書見台載置面２０１に設けられたつまみ２１０を、つまみ押し込み部２１２に押し込む。そうするとつまみ２１０が上方に立ち上がるので、当該部分を手掛かりとして書見台部２００を天板本体１００から引き上げる（図４参照）。
そして、書見台部２００を引き上げながら前方に押し出すようにして軸受け部１２０に沿って移動させ、軸受け部１２０の奧まで押し込む（図４参照）。書見台部２００は、当該軸受け部１２０の形状に即した動作によって、その立ち上げ可動範囲が拡がり、天板本体１００に対して最大約９０°まで立ちあげることができる。
【００３１】
（２）次に、引き出した書見台部２００の位置を固定する。具体的には、天板本体１００の空間部１０２内に設けられた係止体１１０と、書見台部２００裏に設けられたストッパー体２２０を嵌合させ、書見台部２００を所定の角度に立ち上げる。なお、書見台部２００を固定する角度によって、ストッパー体２２０の作用が以下のように相違する。
【００３２】
収容状態において、ストッパー体２２０は、ストッパー取付軸２２２から見てつまみ２１０側の空間に位置するよう収容されている。また、ストッパー体２２０を構成する大ストッパー２２４と小ストッパー２２６は側面視面一状態となって収容されている（図４参照）。
【００３３】
上記収容状態で書見台部２００を引き上げると、ストッパー体２２０も引きずられるように立ち上がる。このとき、引きずられているストッパー体２２０において、その構成部材である大ストッパー２２４と小ストッパー２２６は、それぞれ異なる角度で動く。すなわち、ストッパー体２２０が立ち上がるにつれて、大ストッパー２２４よりも小ストッパー２２６の方が鋭角に立ち上がってゆく。
この結果、書見台部２００の立ち上げ位置が低いと、小ストッパー２２６が係止体１１０の横方向の格子間に形成された凹部の底に係止するか又は凸部に当接して嵌合し、凹部内に引っ掛かった状態に保持される。
なお、書見台部２００の立ち上げ位置が高くなる（つまり書見台載置面２０１の位置が垂直に近くなる）と、小ストッパー２２６は係止体１１０に届かなくなるが、代わって、大ストッパー２２４が係止体１１０の横方向の格子間に形成された凹部の底に係止するか又は凸部に当接して嵌合し、凹部内に引っ掛かった状態に保持される（図４参照）。
上記方法によって、書見台載置面２０１を自分が希望する角度に調節し当該位置に固定することができる。
【００３４】
（３）書見台部２００の位置が決まったら、載置体２５０を立ち上げる。
載置体２５０の書見台取付軸２０２側の縁部を押して、載置体押し込み部２５２に押し込むと滑り止め２５４が持ち上がるので、当該箇所を手掛かりとして載置体２５０を書見台載置面２０１から引き上げる。そして、載置体２５０は、引き上げながら載置体押し込み部２５２の奧まで押し当てることで書見台載置面２０１に対して最大約９０°まで立ちあげることができる（図４参照）。
【００３５】
（４）上記手順で組み立てられた炬燵用天板１は、その書見台載置面２０１と載置体２５０が側面視において直角乃至鋭角になるので、本などを手放しで載置することができる。
特に新聞などの厚みが薄く腰がない書類等であっても、書見台載置面２０１、載置体２５０及び滑り止め２５４が協働して新聞等を支えるため、書見台載置面２０１から滑り落ちない又は滑り落ちにくい。
【００３６】
[使用後]
使用後、書見台部２００及び載置体２５０は、天板本体１００へ畳んで収容する。
このとき、一度書見台部２００を軽く持ち上げ、ストッパー体２２０をストッパー取付軸２２２に沿って横方向へ移動させる。これによって、ストッパー体２２０は、係止体１１０の縦方向の格子上を係止体１１０に沿ってスライドしながら、引き出す前の状態に収容される（図３参照）。
そして、書見台部２００を引き上げながら後方に引くようにして、軸受け部１２０に沿って摺動させながら軸受け部１２０を元の位置に戻す（図４参照）。
【００３７】
書見台部２００の収容後においては、書見台部２００及び載置体２５０は天板本体１００上面と面一又は略面一（平坦又は略平坦）となり、これによって、通常の炬燵用の天板の形態となる。
また、天板上に飲み物等の液体をこぼし、天板本体１００と書見台部２００等の継ぎ目に液体が入り込んでも、液体は空間部１０２に入り込んで当該箇所で受けることができ、炬燵布団等には染みこまない。
【００３８】
本明細書及び実用新案登録請求の範囲で使用している用語と表現は、あくまでも説明上のものであって、なんら限定的なものではなく、本明細書及び実用新案登録請求の範囲に記述された特徴およびその一部と等価の用語や表現を除外する意図はない。また、本考案の技術思想の範囲内で、種々の変形態様が可能であるということは言うまでもない。
【図面の簡単な説明】
【００３９】
【図１】本考案に係る炬燵用天板の書見台部を収容した状態の斜視図。
【図２】本考案に係る炬燵用天板の書見台部を立ち上げた状態の斜視図。
【図３】本考案に係る炬燵用天板の書見台部を立ち上げた状態の背面視説明図。
【図４】本考案に係る炬燵用天板の書見台部を収容ないし立ち上げた状態を示す側方断面視説明図。
【符号の説明】
【００４０】
１      炬燵用天板
１００  天板本体
１０２  空間部
１１０  係止体
１２０  軸受け部
２００  書見台部
２０１  書見台載置面
２０２  書見台取付軸
２１０  つまみ
２１２  つまみ押し込み部
２２０  ストッパー体
２２２  ストッパー取付軸
２２４  大ストッパー
２２５ａ，２２５ｂ  小切欠部
２２６  小ストッパー
２５０  載置体
２５１  載置体収容部
２５２  載置体押し込み部
２５４  滑り止め
【図１】
0003133212.tif 000003
【図２】
0003133212.tif 000004
【図３】
0003133212.tif 000005
【図４】
0003133212.tif 000006